(57)【要約】【課題】型枠兼用の外壁基材を用いて外壁を構築する際に、床のスラブとの関係で外壁基材を適切な位置に配置する。【解決手段】複数階建ての建物の建設方法において、二階以上の階の床を構成するスラブ３０を設置し、外側断熱層１３及び内側断熱層１５を備えるとともに外側断熱層１３と内側断熱層１５との間にコンクリート層を形成するためのスペースＳが設けられた外壁基材２０を、スラブ３０の設置位置と隣り合うように配置し、外壁基材２０の配置後に外壁基材２０のスペースＳ内へコンクリートを打設し、打設したコンクリートが硬化して形成されたコンクリート層が外側断熱層１３及び内側断熱層１５と一体化して外壁を構築する。また、外壁基材２０を配置する際には、外壁基材２０の上端が予め設定された長さ以上、スラブ３０の上面よりも上方に位置するように外壁基材２０を配置する。【選択図】図８
2018204337.tif 000002
【特許請求の範囲】
【請求項１】
コンクリート層と該コンクリート層を挟む外側断熱層及び内側断熱層とを有する外壁と、該外壁よりも屋内側に位置し該外壁と隣り合う位置に設けられた床と、を備えた複数階建ての建物の建設方法であって、
前記建物における二階以上の階の前記床を構成するスラブを設置し、
前記外側断熱層及び前記内側断熱層を備えるとともに前記外側断熱層と前記内側断熱層との間に前記コンクリート層を形成するためのスペースが設けられた外壁基材を、前記スラブの設置位置と隣り合うように配置し、
前記外壁基材の配置後に前記スペース内へコンクリートを打設し、
前記スペース内のコンクリートが硬化することで形成された前記コンクリート層が前記外壁基材の前記外側断熱層及び前記内側断熱層と一体化して前記外壁を構築し、
前記外壁基材を配置する際には、前記外壁基材の上端が予め設定された長さ以上、前記スラブの上面よりも上方に位置するように前記外壁基材を配置することを特徴とする複数階建ての建物の建設方法。
【請求項２】
前記外壁基材を前記スラブの設置位置と隣り合うように配置する際には、前記外壁において外側で露出する化粧面材を前記外側断熱層よりも外側に備えた前記外壁基材を配置し、
前記スペース内のコンクリートが硬化することで前記コンクリート層が形成されると、該コンクリート層は、前記外側断熱層、前記内側断熱層及び前記化粧面材とともに前記外壁を構築することを特徴とする請求項１に記載の複数階建ての建物の建設方法。
【請求項３】
前記外壁基材を前記スラブの設置位置と隣り合うように配置する際には、前記内側断熱層が位置する側とは反対側で前記外側断熱層と隣接している外側フレームと、前記外側断熱層が位置する側とは反対側で前記内側断熱層と隣接している内側フレームと、前記スペースの厚みを保持するためのセパレータと、を備えた前記外壁基材を配置し、
前記セパレータのうち、前記内側断熱層を貫いている端部が前記内側フレームに留められた状態で前記スペース内にコンクリートを打設することを特徴とする請求項１又は２に記載の複数階建ての建物の建設方法。
【請求項４】
前記スペース内にコンクリートを打設する際には、前記スペースの上端開口を通じてコンクリートを打設することを特徴とする請求項１乃至３のいずれか一項に記載の複数階建ての建物の建設方法。
【請求項５】
二階以上である下方階の前記床を構成する前記スラブを設置し、
前記下方階の前記床を構成する前記スラブの設置位置と隣り合うように前記外壁基材を配置し、
前記下方階の前記床を構成する前記スラブの設置位置と隣り合うように配置された前記外壁基材の、前記スペース内にコンクリートを打設し、
前記下方階の前記床を構成する前記スラブの設置位置と隣り合うように配置された前記外壁基材の、前記スペース内に打設したコンクリートが硬化して前記コンクリート層が形成された後、前記下方階の直上階である上方階の前記床を構成する前記スラブを設置し、
前記上方階の前記床を構成する前記スラブの設置位置と隣り合うように前記外壁基材を配置し、
前記上方階の前記床を構成する前記スラブの設置位置と隣り合うように配置された前記外壁基材の、前記スペース内にコンクリートを打設することを特徴とする請求項１乃至４のいずれか一項に記載の複数階建ての建物の建設方法。
【請求項６】
前記外壁基材を配置する際には、前記外壁基材の上端が８００ｍｍ以上、前記スラブの上面よりも上方に位置するように前記外壁基材を配置することを特徴とする請求項１乃至５のいずれか一項に記載の複数階建ての建物の建設方法。
【請求項７】
前記スペース内にコンクリートを打設する際には、前記スラブの端を前記スペース内に臨ませ、前記コンクリート層が前記スラブと連結するようにコンクリートを打設することを特徴とする請求項１乃至６のいずれか一項に記載の複数階建ての建物の建設方法。
【発明の詳細な説明】
【技術分野】
【０００１】
本発明は、複数階建ての建物の建設方法に係り、特に、外側断熱層及び内側断熱層の間にコンクリート層が設けられた外壁を備える複数階建ての建物の建設方法に関する。
【背景技術】
【０００２】
複数階建ての建物の外壁を鉄筋コンクリート（以下、ＲＣとも言う）によって構築することは、既に周知である。また、ＲＣ製の外壁の中には積層構造の壁が存在する。また、外壁を構築するためにコンクリートを打設する際に、建材パネルを型枠として使用し、コンクリート硬化後に建材パネルを外壁の一部としてそのまま残置することがある。
【０００３】
一例を挙げて説明すると、特許文献１に記載の技術では、耐火性耐力面材と断熱パネルとを複数条のスペーサを介して積層することで構築された建材パネルをコンクリート型枠として使用する。この建材パネル内に設けられたスペースにコンクリートを打設して当該コンクリートが硬化すると、建材パネルがコンクリート層と一体化して外壁を構築する。つまり、建材パネルは、コンクリート打設用の型枠として機能した後には、外壁の一部としてそのまま利用される。このような構成であれば、コンクリート打設後に型枠を解体する必要がないので、建物の外装工事をより簡単に行うことが可能となる。
【先行技術文献】
【特許文献】
【０００４】
【特許文献１】特開２００２−３２２７４５号公報
【発明の概要】
【発明が解決しようとする課題】
【０００５】
ところで、複数階建ての建物の建設工事では、各階の床を構築し、各階の床と隣り合う位置に外壁を構築する。外壁を構築するにあたり、特許文献１のように型枠兼用の外壁基材（特許文献１の「建材パネル」に相当する部材）を用いれば、上述のようにコンクリート打設後の型枠解体作業が不要となる。ここで、外壁基材を配置する際には、床（厳密には床を構築するスラブ）との関係で好適な位置に配置するのが好ましく、特に、安全上、適切な位置に外壁基材を配置するのが望ましい。
【０００６】
そこで、本発明は、上記の課題に鑑みてなされたものであり、その目的とするところは、型枠兼用の外壁基材を用いて外壁を構築する複数階建ての建物の建設方法として、外壁基材が床のスラブとの関係で適切な位置に配置されるような建設方法を提供することである。
【課題を解決するための手段】
【０００７】
前記課題は、本発明の複数階建ての建物の建設方法によれば、コンクリート層と該コンクリート層を挟む外側断熱層及び内側断熱層とを有する外壁と、該外壁よりも屋内側に位置し該外壁と隣り合う位置に設けられた床と、を備えた複数階建ての建物の建設方法であって、前記建物における二階以上の階の前記床を構成するスラブを設置し、前記外側断熱層及び前記内側断熱層を備えるとともに前記外側断熱層と前記内側断熱層との間に前記コンクリート層を形成するためのスペースが設けられた外壁基材を、前記スラブの設置位置と隣り合うように配置し、前記外壁基材の配置後に前記スペース内へコンクリートを打設し、前記スペース内のコンクリートが硬化することで形成された前記コンクリート層が前記外壁基材の前記外側断熱層及び前記内側断熱層と一体化して前記外壁を構築し、前記外壁基材を配置する際には、前記外壁基材の上端が予め設定された長さ以上、前記スラブの上面よりも上方に位置するように前記外壁基材を配置することにより解決される。
【０００８】
上記のように構成された本発明の複数階建ての建物の建設方法では、型枠として兼用される外壁基材を、床のスラブと隣り合う位置に配置する。この際、外壁基材の上端が予め設定された長さ以上、スラブの上面よりも上方に位置するように外壁基材を配置する。これにより、床のスラブ上で作業を行う作業者がスラブの端位置から落下してしまうのを外壁基材によって防止することが可能となる。すなわち、外壁基材のうち、スラブの上面よりも上方に位置する部分が転落防止措置として機能するようになる。
【０００９】
また、上述した複数階建ての建物の建設方法において、前記外壁基材を前記スラブの設置位置と隣り合うように配置する際には、前記外壁において外側で露出する化粧面材を前記外側断熱層よりも外側に備えた前記外壁基材を配置し、前記スペース内のコンクリートが硬化することで前記コンクリート層が形成されると、該コンクリート層は、前記外側断熱層、前記内側断熱層及び前記化粧面材とともに前記外壁を構築すると、好適である。
上記の方法では、化粧面材を備えた外壁基材をコンクリート打設用の型枠として用いる。このため、コンクリートを打設した後に化粧面材を取り付ける手間を要さない。また、化粧面材を取り付けるための足場を設置する必要がない。この結果、外壁基材の外側で作業空間を確保し難い状況でも、化粧面材を備えた外壁を容易に構築することが可能となる。
【００１０】
また、上述した複数階建ての建物の建設方法において、前記外壁基材を前記スラブの設置位置と隣り合うように配置する際には、前記内側断熱層が位置する側とは反対側で前記外側断熱層と隣接している外側フレームと、前記外側断熱層が位置する側とは反対側で前記内側断熱層と隣接している内側フレームと、前記スペースの厚みを保持するためのセパレータと、を備えた前記外壁基材を配置し、前記セパレータのうち、前記内側断熱層を貫いている端部が前記内側フレームに留められた状態で前記スペース内にコンクリートを打設すると、より好適である。
上記の方法では、外壁基材において外側断熱層と内側断熱層との間の間隔をセパレータによって保持した状態で外壁基材が配置される。これにより、外壁基材内のスペースの厚みを保持しながら当該スペースにコンクリートを打設することが可能となる。この結果、外壁を構築する際に、規定の厚みを有するコンクリート層を適切に形成することが可能となる。
【００１１】
また、上述した複数階建ての建物の建設方法において、前記スペース内にコンクリートを打設する際には、前記スペースの上端開口を通じてコンクリートを打設すると、さらに好適である。
上記の方法では、外壁基材の配置後に外壁基材内のスペースにコンクリートを打設する際、スペースの上端開口を通じて打設する。これにより、スペース内に簡単且つ適切にコンクリートを打設することが可能となる。
【００１２】
また、上述した複数階建ての建物の建設方法において、二階以上である下方階の前記床を構成する前記スラブを設置し、前記下方階の前記床を構成する前記スラブの設置位置と隣り合うように前記外壁基材を配置し、前記下方階の前記床を構成する前記スラブの設置位置と隣り合うように配置された前記外壁基材の、前記スペース内にコンクリートを打設し、前記下方階の前記床を構成する前記スラブの設置位置と隣り合うように配置された前記外壁基材の、前記スペース内に打設したコンクリートが硬化して前記コンクリート層が形成された後、前記下方階の直上階である上方階の前記床を構成する前記スラブを設置し、前記上方階の前記床を構成する前記スラブの設置位置と隣り合うように前記外壁基材を配置し、前記上方階の前記床を構成する前記スラブの設置位置と隣り合うように配置された前記外壁基材の、前記スペース内にコンクリートを打設すると、より一層好適である。
上記の方法では、下方階の床を構成するスラブを設置し、そのスラブと隣り合う位置に外壁基材を配置し、当該外壁基材内のスペースにコンクリートを打設してコンクリート層を形成する。その後、下方階の直上に位置する上方階の床を構成するスラブを設置し、そのスラブと隣り合う位置に外壁基材を配置し、当該外壁基材内のスペースにコンクリートを打設してコンクリート層を形成する。以上のように階毎にスラブの設置、外壁基材の配置及びコンクリートの打設を繰り返し行うことにより、三階以上の階を有する建物を比較的簡単に建設することが可能となる。
【００１３】
また、上述した複数階建ての建物の建設方法において、前記外壁基材を配置する際には、前記外壁基材の上端が８００ｍｍ以上、前記スラブの上面よりも上方に位置するように前記外壁基材を配置すると、尚一層好適である。
上記の方法によれば、外壁基材の上端が８００ｍｍ以上、スラブの上面よりも上方に位置するように外壁基材を配置する。すなわち、外壁基材は、スラブの上面から８００ｍｍ以上、上方に突出した状態で配置される。これにより、外壁基材のうち、スラブの上面から突出した部分を法規上の「手すり」として取り扱うことが可能となる。そして、「手すり」としての外壁基材により、床のスラブ上で作業を行う作業者がスラブの端位置から落下してしまうのを効果的に防止することが可能となる。
【００１４】
また、上述した複数階建ての建物の建設方法において、前記スペース内にコンクリートを打設する際には、前記スラブの端を前記スペース内に臨ませ、前記コンクリート層が前記スラブと連結するようにコンクリートを打設すると、益々好適である。
上記の方法によれば、スラブの端が外壁基材中のスペースに臨んだ状態でスペース内にコンクリートを打設することにより、外壁中のコンクリート層が床（スラブ）と連結させることが可能となる。
【発明の効果】
【００１５】
本発明の複数階建ての建物の建設方法によれば、型枠として兼用される外壁基材を、床のスラブと隣り合う位置に配置する際に、外壁基材の上端が予め設定された長さ以上、スラブの上面よりも上方に位置するように配置する。これにより、床のスラブ上で作業を行う作業者がスラブの端位置から落下してしまうのを外壁基材によって防止することが可能となる。
【図面の簡単な説明】
【００１６】
【図１Ａ】本発明の一実施形態に係る建設方法によって建設された複数階建ての建物の正面図である。
【図１Ｂ】本発明の一実施形態に係る建設方法によって建設された複数階建ての建物の背面図である。
【図２】建物の外壁の縦断面図であり、図１ＡのＸ−Ｘ断面を示す図である。
【図３】建物の建設工事中の外壁や床に関する作業の流れを示す図である。
【図４】本発明の一実施形態に係る建設方法にて用いられる外壁基材の平面図である。
【図５】複数階建ての建物の建設工程の様子を示す模式図である（その１）。
【図６】複数階建ての建物の建設工程の様子を示す模式図である（その２）。
【図７】複数階建ての建物の建設工程の様子を示す模式図である（その３）。
【図８】床のスラブと外壁基材との位置関係を示す図である。
【発明を実施するための形態】
【００１７】
以下、本発明の一実施形態（以下、本実施形態）に係る複数階建ての建物の建設方法について説明する。なお、以下に説明する実施形態は、本発明の理解を容易にするための一例であり、本発明を限定するものではない。すなわち、本発明は、その趣旨を逸脱することなく、変更、改良され得る。また、当然ながら本発明にはその等価物が含まれ得る。
【００１８】
なお、以降の説明中、各建材の位置や姿勢（取り付け姿勢）については、特に断る場合を除き、完成した建物における位置や姿勢を説明することとする。
【００１９】
本実施形態に係る建設方法によって建設する複数階建ての建物（以下、建物Ｂ）の構造について説明する。建物Ｂは、複数階建て（例えば五階建て）のＲＣ構造の建物であり、図１Ａ及び図１Ｂに示すように、建物Ｂの外表面を構成する外壁２と、各階の床３とを有する。図１Ａ及び図１Ｂは、建物Ｂの外観を示しており、図１Ａが建物Ｂの正面図であり、図１Ｂが建物Ｂの背面図である。
【００２０】
床３は、外壁２よりも屋内側に設置され、建物Ｂにおいて外壁２と隣り合う位置で水平に設けられている。なお、床３は、スラブ３０（コンクリートスラブ）の上に不図示のフローリング材を載置することで構成されている。
【００２１】
外壁２は、図２に示すように積層構造の壁体である。具体的に説明すると、同図に示すように、外壁２の厚み方向の中間部分には、コンクリートからなる層（コンクリート層１４）と、その層を挟む２つの断熱層（以下、外側断熱層１３及び内側断熱層１５）とが存在する。図２は、外壁２の縦断面図であり、図１ＡのＸ−Ｘ断面を示す図である。
【００２２】
ここで、外壁２は、建物Ｂの建設過程で構築されることになっている。詳しく説明すると、外側断熱層１３及び内側断熱層１５の間のスペースにコンクリートを打設し、打設したコンクリートが硬化してコンクリート層１４が形成されることで外壁２が構築される。
【００２３】
また、外壁２のうち、最も屋外側に位置して露出する部分は化粧面材１１によって構成されている。化粧面材１１は、外壁２において外側断熱層１３よりも外側に配置されている。本実施形態に係る化粧面材１１は、窯業系サイディングからなる。ただし、化粧面材１１を構成する材料については、特に限定されるものではない。
【００２４】
外壁２について図２を参照しながら更に詳しく説明すると、外壁２は、屋外側から化粧面材１１、外側フレーム１２、外側断熱層１３、コンクリート層１４、内側断熱層１５及び内側フレーム１６を有する。
【００２５】
外側フレーム１２は、屋外側（換言すると、外側断熱層１３から見て内側断熱層１５が位置する側とは反対側）で外側断熱層１３と隣接している枠体であり、本実施形態ではアルミ製の角パイプからなる。ただし、外側フレーム１２の材質については、金属に限定されず、樹脂材料や木材であってもよい。また、外側フレーム１２は、化粧面材１１の下地材として兼用されており、外側フレーム１２の外側表面には留付金具１９ａを介して化粧面材１１が固定されている。
【００２６】
なお、外側フレーム１２をなす角パイプは、化粧面材１１と外側断熱層１３との間の空間において一定間隔毎に配置されている。一方、化粧面材１１と外側断熱層１３との間の空間のうち、上記の角パイプが配置されていない領域は、外壁２の通気層１９を形成している。通気層１９は、外壁２内に入り込んだ空気を排出するための空間（隙間）である。
【００２７】
外側断熱層１３及び内側断熱層１５は、若干の厚みを有しており、本実施形態ではスタイロフォームによって構成されている。ただし、外側断熱層１３及び内側断熱層１５の材質については、特に限定されるものではない。
【００２８】
内側フレーム１６は、屋内側（換言すると、内側断熱層１５から見て外側断熱層１３が位置する側とは反対側）で内側断熱層１５と隣接している枠体である。より具体的に説明すると、鉛直方向に延びた縦端太１６ａと、水平方向に延びた横端太１６ｂとを格子状に組み付けることで内側フレーム１６が構成されている。
【００２９】
以上までに説明した外壁２及び床３を有する建物Ｂは、一階から上方階に向かって建設される。より詳しく説明すると、建物Ｂの建設工程では、図３に示すように、下方階の床３を構成するスラブ３０を設置してから当該スラブ３０と隣り合う位置に外壁２を構築する。その後、直上の階の床を構成するスラブ３０を設置し、当該スラブ３０と隣り合う位置に外壁２を構築する。このようにスラブ３０の設置及び外壁２の構築を建物Ｂの階数に応じた回数だけ繰り返すことで建物Ｂが建設される。図３は、建物Ｂの建設工事中の外壁２や床３に関する作業の流れを示す図である。
【００３０】
また、外壁２を構築する際には、前述したように、外壁２のコンクリート層１４を形成するためにコンクリートを打設する。この際、外壁２の基材をなす大型パネル部材（以下、外壁基材２０）を配置し、この外壁基材２０をコンクリート打設用の型枠として用いる。外壁基材２０は、図４に示すように、化粧面材１１、外側フレーム１２、外側断熱層１３、内側断熱層１５及び内側フレーム１６を有する。つまり、コンクリート層１４を除く外壁２中の各層は、ユニット化されて外壁基材２０を構成している。図４は、本実施形態に係る建設方法にて用いられる外壁基材２０の平面図である。
【００３１】
ここで、外壁基材２０において外側断熱層１３と内側断熱層１５との間には、コンクリート層１４を形成するためのスペースＳが設けられている。つまり、このスペースＳ内にコンクリートが打設され、当該スペースＳ内のコンクリートが硬化することでコンクリート層１４が形成される。そして、コンクリート層１４が外壁基材２０の各層（化粧面材１１、外側フレーム１２、外側断熱層１３、内側断熱層１５及び内側フレーム１６）と一体化することで外壁２が構築される。
【００３２】
そして、外壁２が構築された後、外壁基材２０は、外壁２の一部としてそのまま残置される。すなわち、本実施形態では、外壁２中のコンクリート層１４を形成するために用いた型枠を外壁２の一部として利用するので当該型枠を解体する必要がない。この結果、型枠解体用の足場等が不要となり、解体作業の手間を省くことが可能となる。なお、本実施形態に係る外壁基材２０を用いて外壁２を構築することは、外壁２よりも外側に足場を設置する必要がなくなるので、例えば、隣接する建物との間隔が比較的小さくなるような場所（狭小地）に建物Ｂを建設する場合において特に有効となる。
【００３３】
また、図４には、外壁基材２０には、スペースＳの厚みを保持するためのセパレータ１７が設けられている。このセパレータ１７は、一般的な型枠用のセパレータと略同様の構成となっている。具体的に説明すると、セパレータ１７は、スペースＳ内に配置されて外側断熱層１３や内側断熱層１５と当接する一対のコーン１７ａと、各コーン１７ａを貫通してコーン１７ａ間を連結する連結軸１７ｂと、を有する。
【００３４】
連結軸１７ｂの両端部のうち、外側断熱層１３と当接しているコーン１７ａを貫く一端部は、図４に示すように外側断熱層１３及び外側フレーム１２を貫通している。また、連結軸１７ｂの一端部の先端には、矩形プレート状の留付金具１９ａが固定されている。留付金具１９ａは、外側フレーム１２の屋外側端面によって係止されている。これにより、連結軸１７ｂの一端部が抜けてセパレータ１７が外れてしまうのを回避することが可能となる。
【００３５】
連結軸１７ｂのうち、内側断熱層１５と当接しているコーン１７ａを貫くもう一方の端部は、図４に示すように内側断熱層１５及び内側フレーム１６を貫通している。そして、連結軸１７ｂのうち、内側断熱層１５及び内側フレーム１６を貫通した端部は、所定の留め具１８（具体的には、フォームタイ（登録商標））によって内側フレーム１６に留められている。
【００３６】
以上のセパレータ１７が外壁基材２０に設けられていることで、外壁基材２０のスペースＳ内にコンクリートを打設してコンクリート層１４を形成する際に、コンクリート層１４の厚みが規定の厚みとなるようにコンクリート層１４を形成することが可能となる。
【００３７】
以上までに説明してきた外壁基材２０は、外壁２を構築する上で所定位置（外壁２が構築される位置）に配置される。また、本実施形態では、高さが異なる複数種類の外壁基材２０が用いられており、以下では、より低い高さの外壁基材２０を「低背の外壁基材２０」と呼び、より高い高さの外壁基材２０を「高背の外壁基材２０」と呼ぶこととする。ちなみに、本実施形態では、低背の外壁基材２０の高さが８００ｍｍ〜１０００ｍｍに設定されており、高背の外壁基材２０の高さが２７００ｍｍ〜３００００ｍｍに設定されている。
【００３８】
なお、高背の外壁基材２０では、図２に示すように、内側断熱層１５及び内側フレーム１６の各々の上端部が基材上部断片２０Ｘをなしている。この基材上部断片２０Ｘは、基材本体（高背の外壁基材２０中、基材上部断片２０Ｘ以外の部分）から分離されている。
【００３９】
次に、外壁基材２０を用いた建物Ｂの建設方法について既出の図３、並びに図５乃至図７を参照しながら説明する。図５乃至図７は、建物Ｂの建設工程の様子を示す模式図である。なお、建設工程は、図５、図６、図７の順に進められる。また、図５乃至図７の各図では、図示の都合上、各建材を幾分簡略化して図示している。
【００４０】
先ず、建物Ｂの建設工事は、通常の建物の建設工事と同様、基礎工事から開始され、その後に躯体工事及び外装工事が行われる。その中で、床３が設置され、外壁２が構築される。具体的に説明すると、図３に示すように、先ず、一階の床３を構成するスラブ３０が設置される（Ｓ００１）。その後、図５に示すように一階の床３を構成するスラブ３０の縁部の上方に、低背の外壁基材２０を配置する（Ｓ００２）。この際、外壁基材２０において化粧面材１１が最も屋外側に位置して露出するように外壁基材２０を配置する。
【００４１】
低背の外壁基材２０を上記のように配置した後、外壁基材２０中のスペースＳ内に生コンＣ（コンクリート）を打設する（Ｓ００３）。この際、図５に示すように、スペースＳの上端開口を通じて生コンＣを打設する。また、生コンＣを打設している間、外壁基材２０に設けられたセパレータ１７の一端部は、その先端に設けられた留付金具１９ａが外側フレーム１２に係止されることで固定されている。他方、セパレータ１７のうち、もう一方の端部は、留め具１８によって内側フレーム１６に留められている。これにより、生コンＣを打設する間、スペースＳの厚みがセパレータ１７により適切に保持される。
【００４２】
その後、打設した生コンＣが硬化してコンクリート層１４を形成すると、当該コンクリート層１４が低背の外壁基材２０と共に外壁２を構築する。つまり、コンクリート層１４が、その両脇に位置する外側断熱層１３及び内側断熱層１５と一体化して外壁２を構築する。なお、上記の工程Ｓ００２、Ｓ００３で構築される外壁２は、建物Ｂの中で最も下方に位置する外壁２であり、以下、最下部の外壁２と呼ぶこととする。
【００４３】
最下部の外壁２を構築した後、二階の床３を構成するスラブ３０が設置される（Ｓ００４）。その後、図６に示すように、二階の床３を構成するスラブ３０の設置位置と隣り合うように高背の外壁基材２０を配置する（Ｓ００５）。より具体的に説明すると、最下部の外壁２の直上位置に高背の外壁基材２０を配置する。この際、外壁基材２０において化粧面材１１が最も屋外側に位置して露出するように外壁基材２０を配置する。
【００４４】
より厳密に説明すると、本実施形態では、基材上部断片２０Ｘが取り外された状態の外壁基材２０（すなわち、基材本体）を最下部の外壁２の上に配置する。このとき、二階の床３を構築するスラブ３０の下方に基材本体中の内側断熱層１５及び内側フレーム１６が潜り込むように、当該基材本体を配置する。その後、図６に示すように、二階の床３を構築するスラブ３０の上面に基材上部断片２０Ｘを載せて固定する。これにより、二階の床３を構成するスラブ３０の屋外側端部が、上下方向において基材上部断片２０Ｘと基材本体との間に挟み込まれ、外壁基材２０中のスペースＳに臨むようになる。
【００４５】
高背の外壁基材２０を上記のように配置した後、図６に示すように、外壁基材２０中のスペースＳ内に生コンＣを打設する（Ｓ００６）。この際、ステップＳ００３と同様に、スペースＳの上端開口を通じて生コンＣを打設する。また、生コンＣの打設期間中、セパレータ１７の一端部は、その先端に設けられた留付金具１９ａが外側フレーム１２に係止されることで固定されており、もう一方の端部は、留め具１８によって内側フレーム１６に留められている。これにより、生コンＣを打設する間、スペースＳの厚みがセパレータ１７により適切に保持される。
【００４６】
なお、本実施形態では、二階の床３を構成するスラブ３０の屋外側端がスペースＳに臨んだ状態で生コンＣを当該スペースＳ内に打設する。したがって、スペースＳ内に生コンＣが充填されると、上記のスラブ３０の屋外側端に生コンＣが接するようになる。
【００４７】
その後、打設した生コンＣが硬化することでコンクリート層１４が形成され、高背の外壁基材２０と共に外壁２を構築する。つまり、コンクリート層１４は、その両脇に位置する外側断熱層１３及び内側断熱層１５と一体化して外壁２（以下、二段目の外壁２）を構築する。また、本実施形態では、上述のように二階の床３を構成するスラブ３０の屋外側端に接するように生コンＣが打設されたため、コンクリート層１４が上記のスラブ３０と連結するようになる。この結果、二段目の外壁２中のコンクリート層１４が二階の床３と一体化するようになる。
【００４８】
二段目の外壁を構築した後には、その直上階（すなわち、三階）の床３を構成するスラブ３０が設置される（Ｓ００７）。ここで、三階の床３を構成するスラブ３０は、二階の床３を構成するスラブ３０との関係で『上方階の床を構成するスラブ』に該当し、二階の床３を構成するスラブ３０は、三階の床３を構成するスラブ３０との関係で『下方階の床を構成するスラブ』に該当する。
【００４９】
三階の床３を構成するスラブ３０を設置した後、図７に示すように、三階の床３を構成するスラブ３０の設置位置と隣り合うように高背の外壁基材２０を配置する（Ｓ００８）。より具体的に説明すると、二段目の外壁２の直上位置に高背の外壁基材２０を配置する。この際、外壁基材２０において化粧面材１１が最も屋外側に位置して露出するように外壁基材２０を配置する。なお、本実施形態では、二段目の外壁２を構築したときと同様に、外壁基材２０中の基材本体を二段目の外壁２の上に配置した後、図７に示すように、三階の床３を構築するスラブ３０の上面に基材上部断片２０Ｘを載せて固定する。これにより、三階の床３を構成するスラブ３０の屋外側端部が外壁基材２０中のスペースＳに臨むようになる。
【００５０】
高背の外壁基材２０の配置後、図７に示すように、外壁基材２０中のスペースＳ内に生コンＣを、スペースＳの上端開口を通じて打設する（Ｓ００９）。また、生コンＣの打設期間中、セパレータ１７の一端部は、その先端に設けられた留付金具１９ａが外側フレーム１２に係止されることで固定されており、もう一方の端部は、留め具１８によって内側フレーム１６に留められている。これにより、生コンＣを打設する間、スペースＳの厚みがセパレータ１７により適切に保持される。
なお、本実施形態では、三階の床３を構成するスラブ３０の屋外側端がスペースＳに臨んだ状態で生コンＣを当該スペースＳ内に打設する。
【００５１】
その後、打設した生コンＣが硬化することでコンクリート層１４が形成され、高背の外壁基材２０と共に外壁２を構築する。つまり、コンクリート層１４は、その両脇に位置する外側断熱層１３及び内側断熱層１５と一体化して外壁２を構築する。また、本実施形態では、三階の床３を構成するスラブ３０の屋外側端がスペースＳに臨んだ状態で生コンＣが打設されたため、外壁２のコンクリート層１４が上記のスラブ３０と連結する結果、外壁２中のコンクリート層１４が三階の床３と一体化するようになる。
【００５２】
以降、四階以上の各階に関して、その階の床３を構成するスラブ３０を設置する工程、スラブ３０と隣り合う位置に高背の外壁基材２０を配置する工程、及び外壁基材２０内のスペースＳに生コンＣを打設する工程が、上述した要領にて繰り返し行われる（Ｓ０１０）。ここで、上下に並ぶ二つの階において、より下方に位置する階の床３を構成するスラブ３０が『下方階の床を構成するスラブ』に該当し、より上方に位置する階の床３を構成するスラブ３０が『上方階の床を構成するスラブ』に該当する。
【００５３】
そして、上記の工程Ｓ００７〜Ｓ００９が建物Ｂの階数（厳密には、三階以上の階数）に応じた数だけ繰り返された時点で、すべての階において、床３を構成するスラブ３０が完成し、当該スラブ３０と隣り合う位置に建物Ｂの外壁２が構築される。
【００５４】
ところで、本実施形態では、外壁基材２０を配置する工程（詳しくは、高背の外壁基材２０を配置する工程Ｓ００５、Ｓ００８）において、外壁基材２０の上端が予め設定された長さ以上、当該外壁基材２０と隣り合うスラブ３０の上面よりも上方に位置するように外壁基材２０を配置する。厳密に説明すると、外壁基材２０の上端が８００ｍｍ以上、当該外壁基材２０と隣り合うスラブ３０の上面よりも上方に位置するように外壁基材２０を配置する。
【００５５】
つまり、本実施形態では、外壁基材２０（厳密には、高背の外壁基材２０）がスラブ３０の上面から所定量（８００ｍｍ）以上、上方に突出した状態で配置される。そして、外壁基材２０中、スラブ３０の上面から上方に突出した部分は、転落防止措置として機能するようになる。具体的に説明すると、二階以上の床３を構成するスラブ３０上で作業者が内装作業等を行っている状況において、図８に示すように、スラブ３０の端位置付近に外壁基材２０が配置されている。さらに、外壁基材２０は、スラブ３０の上面から幾分（具体的には８００ｍｍ以上）上方に突出している。なお、図８は、スラブ３０と外壁基材２０との位置関係を示す図である。
【００５６】
以上の状況では、スラブ３０上の作業者がスラブ３０から落下してしまうのを外壁基材２０によって防止することが可能となる。なお、外壁基材２０がスラブ３０の上面から上方に８００ｍｍ以上突出している場合、その突出部分は、安全衛生法上の「手すり」として認められる場合がある。かかる場合には、二階以上の床３を構成するスラブ３０上で作業者が作業を行うにあたり、高所作業用の手すりを別途設置する必要がなくなる。
【００５７】
以上までに本発明の複数階建ての建物の建設方法について具体例を挙げて説明したが、上述の実施形態は、あくまでも一例に過ぎず、他の実施形態も考えられる。例えば、上述の実施形態では、二階以上の床３を構成するスラブ３０を設置した後、当該スラブ３０と隣り合う位置に外壁基材２０（厳密には、高背の外壁基材２０）を配置することとした。ただし、これに限定されるものではなく、外壁基材２０を配置した後に当該外壁基材２０と隣り合うように床３のスラブ３０を設置してもよい。
【００５８】
また、上記の実施形態に係る外壁基材２０は、化粧面材１１、外側フレーム１２、外側断熱層１３、内側断熱層１５及び内側フレーム１６を有し、さらに、セパレータ１７を備えていることとした。ただし、外壁基材２０の構成については、上述の構成に限定されるものではなく、例えば、外壁基材２０に上述した層以外の層が含まれてもよい。
【００５９】
また、上記の実施形態に係る外壁基材２０（厳密には、高背の外壁基材２０）は、基材本体と基材上部断片２０Ｘに分かれており、基材上部断片２０Ｘは、基材本体から分離していることとした。ただし、これに限定されるものではなく、外壁基材２０が、分離した複数の機器からなるものではなく、一ユニット（一つの機器）として構成されていてもよい。かかる構成を採用する場合、外壁基材２０をスラブ３０と隣り合う位置に配置する際に、内側フレーム１６がスラブ３０の屋外側端と隣接するように外壁基材２０を配置することになる。
【符号の説明】
【００６０】
１  建物
２  外壁
３  床
１１  化粧面材
１２  外側フレーム
１３  外側断熱層
１４  コンクリート層
１５  内側断熱層
１６  内側フレーム
１６ａ  縦端太
１６ｂ  横端太
１７  セパレータ
１７ａ  コーン
１７ｂ  連結軸
１８  留め具
１９  通気層
１９ａ  留付金具
２０  外壁基材
２０Ｘ  基材上部断片
３０  スラブ
Ｂ  建物
Ｃ  生コン（コンクリート）
Ｓ  スペース
【図１Ａ】
2018204337.tif 000003
【図１Ｂ】
2018204337.tif 000004
【図２】
2018204337.tif 000005
【図３】
2018204337.tif 000006
【図４】
2018204337.tif 000007
【図５】
2018204337.tif 000008
【図６】
2018204337.tif 000009
【図７】
2018204337.tif 000010
【図８】
2018204337.tif 000011